【手続補正書】
【提出日】平成29年4月3日(2017.4.3)
【手続補正１】
【補正対象書類名】特許請求の範囲
【補正対象項目名】全文
【補正方法】変更
【補正の内容】
【特許請求の範囲】
【請求項１】
サブフレームのバンドル上で、バンドリングされた送信として送られるダウンリンク制御チャネルを復号する、ユーザ機器による方法であって、
前記サブフレームのバンドル内の第１のサブフレームにおける前記ダウンリンク制御チャネルについての可能性のある復号候補の第１のセットと、前記サブフレームのバンドル内の第２のサブフレームにおける前記ダウンリンク制御チャネルについての可能性のある復号候補の第２のセットとの間の１対１のマッピングを決定することと、ここにおいて、可能性のある復号候補の前記第１のセットと、可能性のある復号候補の前記第２のセットとは異なっている、
前記決定に、少なくとも部分的に基づいて、前記サブフレームのバンドル内の可能性のある復号候補の前記第１のセットと、可能性のある復号候補の前記第２のセットとを処理することと
を特徴とする、方法。
【請求項２】
可能性のある復号候補の前記第１のセットと、可能性のある復号候補の前記第２のセットとは異なっており、
前記マッピングを決定することは、可能性のある復号候補の前記第２のセット内にはない、可能性のある復号候補の前記第１のセット内の復号候補を備え、
前記復号候補を処理することは、
復号のために前記第２のサブフレームを無視すること、および前記第１のサブフレーム内の復号候補の前記第１のセットにおける前記決定された復号候補をモニタリングすること、または
復号のために前記第１および第２のサブフレームを無視すること
を備える、請求項１に記載の方法。
【請求項３】
可能性のある復号候補の前記第１のセットにおける第１の復号候補は、可能性のある復号候補の前記第２のセットにおける第２の復号候補にマッピングされ、前記第１の復号候補および前記第２の復号候補は、異なるアグリゲーションレベル、アグリゲーションレベルについての復号候補の異なる数、または制御チャネルの異なるタイプのうちの少なくとも１つを有する、請求項１に記載の方法。
【請求項４】
前記処理することは、共通サーチ空間およびＵＥ固有のサーチ空間において、復号候補をモニタリングすることを備え、
前記マッピングを決定することは、前記共通サーチ空間内の第１のマッピングを決定すること、および前記ＵＥ固有のサーチ空間内の第２のマッピングを決定することを備える、請求項１に記載の方法。
【請求項５】
前記決定は、前記サブフレームのバンドル内の他の信号の存在に基づいており、
前記処理は、前記サブフレームのバンドル内の少なくとも１つのサブフレームにおいて、少なくとも１つの復号候補を無視することを備える、請求項１に記載の方法。
【請求項６】
前記サブフレームにおける前記他の信号の存在は、マルチメディアブロードキャストマルチキャストサービス（ＭＢＭＳ）またはポジショニング基準信号（ＰＲＳ）送信のうちの少なくとも１つの存在を備える、請求項５に記載の方法。
【請求項７】
サブフレームのバンドル上で、バンドリングされた送信としてダウンリンク制御チャネルを送信する方法であって、
前記サブフレームのバンドル内の第１のサブフレームにおける前記ダウンリンク制御チャネルについての可能性のある復号候補の第１のセットと、前記サブフレームのバンドル内の第２のサブフレームにおける前記ダウンリンク制御チャネルについての可能性のある復号候補の第２のセットとの間の１対１のマッピングを決定することと、ここにおいて、可能性のある復号候補の前記第１のセットと、可能性のある復号候補の前記第２のセットとは異なっている、
前記決定に、少なくとも部分的に基づいて、前記サブフレームのバンドル上で前記ダウンリンク制御チャネルを送信することと
を特徴とする、方法。
【請求項８】
前記ダウンリンク制御チャネルは、物理ダウンリンク制御チャネル（ＰＤＣＣＨ）または拡張されたＰＤＣＣＨ（ＥＰＤＣＣＨ）を備える、請求項１または７に記載の方法。
【請求項９】
可能性のある復号候補の前記第１のセットにおけるアグリゲーションレベルの復号候補は、可能性のある復号候補の前記第２のセットにおける同じアグリゲーションレベルの復号候補にマッピングされるか、または
可能性のある復号候補の前記第１のセットにおける第１の復号候補は、可能性のある復号候補の前記第２のセットにおける第２の復号候補にマッピングされ、前記第１の復号候補および前記第２の復号候補は、異なるアグリゲーションレベル、アグリゲーションレベルについての復号候補の異なる数、または制御チャネルの異なるタイプのうちの少なくとも１つを有する、請求項１または７に記載の方法。
【請求項１０】
前記ダウンリンク制御チャネルは、物理ダウンリンク制御チャネル（ＰＤＣＣＨ）を備え、
可能性のある復号候補の前記第１のセットと、可能性のある復号候補の前記第２のセットとの間の前記マッピングを前記決定することは、前記サブフレームのバンドル内の利用可能な制御チャネルエレメント（ＣＣＥ）の数に基づいているか、または
前記ダウンリンク制御チャネルは、拡張された物理ダウンリンク制御チャネル（ＥＰＤＣＣＨ）を備え、
可能性のある復号候補の前記第１のセットと、可能性のある復号候補の前記第２のセットとの間の前記マッピングを前記決定することは、物理リソースブロック（ＰＲＢ）ペアにおける前記ＥＰＤＣＣＨについて利用可能なリソースエレメント（ＲＥ）の数に基づいて、前記サブフレームのバンドルにおいてサポートされるアグリゲーションレベルを決定することを備えるか、または
前記ダウンリンク制御チャネルは、第１のＥＰＤＣＣＨリソースセットおよび第２のＥＰＤＣＣＨリソースセットで構成される拡張された物理ダウンリンク制御チャネル（ＥＰＤＣＣＨ）を備え、
可能性のある復号候補の前記第１のセットと、可能性のある復号候補の前記第２のセットとの間の前記マッピングを決定することは、前記第１のＥＰＤＣＣＨリソースセット内の第１のマッピングを決定すること、および前記第２のＥＰＤＣＣＨリソースセット内の第２のマッピングを決定することを備える、請求項１または７に記載の方法。
【請求項１１】
可能性のある復号候補の前記第１のセットと、可能性のある復号候補の前記第２のセットとの間の前記マッピングを決定することは、前記ＰＤＣＣＨ内の第１のマッピングを決定すること、および前記ＥＰＤＣＣＨ内の第２のマッピングを決定することを備える、請求項８に記載の方法。
【請求項１２】
前記第１のサブフレームの構成は、前記第２のサブフレームの構成とは異なっており、
前記決定は、前記第１のサブフレームの前記構成および前記第２のサブフレームの前記構成に基づいている、請求項１または７に記載の方法。
【請求項１３】
前記第１のサブフレームの前記構成および前記第２のサブフレームの前記構成は、サブフレームにおけるダウンリンク送信についてのシンボルの数、またはサブフレームタイプのうちの少なくとも１つを各々備える、請求項１２に記載の方法。
【請求項１４】
サブフレームのバンドル上で、バンドリングされた送信として送られるダウンリンク制御チャネルを復号するための、ユーザ機器における装置であって、
前記サブフレームのバンドル内の第１のサブフレームにおける前記ダウンリンク制御チャネルについての可能性のある復号候補の第１のセットと、前記サブフレームのバンドル内の第２のサブフレームにおける前記ダウンリンク制御チャネルについての可能性のある復号候補の第２のセットとの間の１対１のマッピングを決定するための手段と、ここにおいて、可能性のある復号候補の前記第１のセットと、可能性のある復号候補の前記第２のセットとは異なっている、
前記決定に、少なくとも部分的に基づいて、前記サブフレームのバンドル内の可能性のある復号候補の前記第１のセットと、可能性のある復号候補の前記第２のセットとを処理するための手段と
を特徴とする、装置。
【請求項１５】
サブフレームのバンドル上で、バンドリングされた送信としてダウンリンク制御チャネルを送信するための装置であって、
前記サブフレームのバンドル内の第１のサブフレームにおける前記ダウンリンク制御チャネルについての可能性のある復号候補の第１のセットと、前記サブフレームのバンドル内の第２のサブフレームにおける前記ダウンリンク制御チャネルについての可能性のある復号候補の第２のセットとの間の１対１のマッピングを決定するための手段と、ここにおいて、可能性のある復号候補の前記第１のセットと、可能性のある復号候補の前記第２のセットとは異なっている、
前記決定に、少なくとも部分的に基づいて、前記サブフレームのバンドル上で前記ダウンリンク制御チャネルを送信するための手段と
を特徴とする、装置。
【請求項１６】
請求項１〜１３のいずれか一項に記載の方法を行うようにプロセッサによって実行可能な命令を記憶するコンピュータ読取可能媒体。
【手続補正２】
【補正対象書類名】明細書
【補正対象項目名】００８９
【補正方法】変更
【補正の内容】
【００８９】
[0095]  前述の内容は、本開示の実施形態に向けられているが、本開示の他のおよびさらなる実施形態が、その基本的な範囲から逸脱せずに考案されることができ、その範囲は、下記の請求項によって決定される。
以下に、本願出願の当初の特許請求の範囲に記載された発明を付記する。
［Ｃ１］
サブフレームのバンドル上で、バンドリングされた送信として送られるダウンリンク制御チャネルを処理する方法であって、
前記サブフレームのバンドル内の第１のサブフレームにおける前記ダウンリンク制御チャネルについての可能性のある復号候補の第１のセットと、前記サブフレームのバンドル内の第２のサブフレームにおける前記ダウンリンク制御チャネルについての可能性のある復号候補の第２のセットとの間のマッピングを決定することと、
前記決定に、少なくとも部分的に基づいて、前記サブフレームのバンドルを処理することと
を備える、方法。
［Ｃ２］
前記ダウンリンク制御チャネルは、物理ダウンリンク制御チャネル（ＰＤＣＣＨ）または拡張されたＰＤＣＣＨ（ＥＰＤＣＣＨ）を備える、Ｃ１に記載の方法。
［Ｃ３］
可能性のある復号候補の前記第１のセットと、可能性のある復号候補の前記第２のセットとは異なっており、前記処理は、
可能性のある復号候補の前記第２のセット内にはない、可能性のある復号候補の前記第１のセット内の復号候補を決定することと、
復号のために前記サブフレームのバンドルのうちの前記第２のサブフレームを無視すること、および前記サブフレームのバンドルのうちの前記第１のサブフレーム内の前記決定された復号候補を復号すること、または復号のために前記サブフレームのバンドルのうちの前記第１および第２のサブフレームを無視すること
を備える、Ｃ１に記載の方法。
［Ｃ４］
可能性のある復号候補の前記第１のセットにおけるアグリゲーションレベルの復号候補は、可能性のある復号候補の前記第２のセットにおける同じアグリゲーションレベルの復号候補にマッピングされる、Ｃ１に記載の方法。
［Ｃ５］
可能性のある復号候補の前記第１のセットにおける第１の復号候補は、可能性のある復号候補の前記第２のセットにおける第２の復号候補にマッピングされ、前記第１の復号候補および前記第２の復号候補は、異なるアグリゲーションレベル、アグリゲーションレベルについての復号候補の異なる数、または制御チャネルの異なるタイプのうちの少なくとも１つを有する、Ｃ１に記載の方法。
［Ｃ６］
前記ダウンリンク制御チャネルは、物理ダウンリンク制御チャネル（ＰＤＣＣＨ）を備え、
可能性のある復号候補の前記第１のセットと、可能性のある復号候補の前記第２のセットとの間の前記マッピングを前記決定することは、前記サブフレームのバンドル内の利用可能な制御チャネルエレメント（ＣＣＥ）の数に基づいている、Ｃ１に記載の方法。
［Ｃ７］
前記ダウンリンク制御チャネルは、拡張された物理ダウンリンク制御チャネル（ＥＰＤＣＣＨ）を備え、
可能性のある復号候補の前記第１のセットと、可能性のある復号候補の前記第２のセットとの間の前記マッピングを前記決定することは、物理リソースブロック（ＰＲＢ）ペアにおける前記ＥＰＤＣＣＨについて利用可能なリソースエレメント（ＲＥ）の数に基づいて、前記サブフレームのバンドルにおいてサポートされるアグリゲーションレベルを決定することを備える、Ｃ１に記載の方法。
［Ｃ８］
前記ダウンリンク制御チャネルは、第１のＥＰＤＣＣＨリソースセットおよび第２のＥＰＤＣＣＨリソースセットで構成される拡張された物理ダウンリンク制御チャネルを備え、
可能性のある復号候補の前記第１のセットと、可能性のある復号候補の前記第２のセットとの間の前記マッピングを前記決定することは、前記第１のＥＰＤＣＣＨリソースセット内の第１のマッピングを決定すること、および前記第２のＥＰＤＣＣＨリソースセット内の第２のマッピングを決定することを備える、Ｃ１に記載の方法。
［Ｃ９］
共通サーチ空間およびＵＥ固有の共通サーチ空間において、復号候補をモニタリングすること
をさらに備え、
可能性のある復号候補の前記第１のセットと、可能性のある復号候補の前記第２のセットとの間の前記マッピングを前記決定することは、前記共通サーチ空間内の第１のマッピングを決定すること、および前記ＵＥ固有の共通サーチ空間内の第２のマッピングを決定することを備える、Ｃ１に記載の方法。
［Ｃ１０］
可能性のある復号候補の前記第１のセットと、可能性のある復号候補の前記第２のセットとの間の前記マッピングを前記決定することは、前記ＰＤＣＣＨ内の第１のマッピングを決定すること、および前記ＥＰＤＣＣＨ内の第２のマッピングを決定することを備える、Ｃ２に記載の方法。
［Ｃ１１］
前記第１のサブフレームの構成は、前記第２のサブフレームの構成とは異なっており、
前記決定は、前記第１のサブフレームの前記構成および前記第２のサブフレームの前記構成に基づいている、Ｃ１に記載の方法。
［Ｃ１２］
前記第１のサブフレームの前記構成および前記第２のサブフレームの前記構成は、サブフレームにおけるダウンリンク送信についてのシンボルの数、またはサブフレームタイプのうちの少なくとも１つを各々備える、Ｃ１１に記載の方法。
［Ｃ１３］
前記決定は、前記サブフレームのバンドル内の他の信号の存在に基づいており、
前記処理は、前記サブフレームのバンドル内の少なくとも１つのサブフレームにおいて、少なくとも１つの復号候補を無視することを備える、Ｃ１に記載の方法。
［Ｃ１４］
前記サブフレームにおける前記他の信号の存在は、マルチメディアブロードキャストマルチキャストサービス（ＭＢＭＳ）またはポジショニング基準信号（ＰＲＳ）送信のうちの少なくとも１つの存在を備える、Ｃ１３に記載の方法。
［Ｃ１５］
サブフレームのバンドル上で、バンドリングされた送信として送られるダウンリンク制御チャネルを処理する方法であって、
前記サブフレームのバンドルのうちの異なるサブフレームにおいて前記ダウンリンク制御チャネルのためのレートマッチングをどのように行うかを決定することと、
前記決定に、少なくとも部分的に基づいて、前記サブフレームのバンドルを処理することと
を備える、方法。
［Ｃ１６］
前記処理は、前記サブフレームのバンドルにおいて各サブフレームのためのレートマッチングを別個に行うことを備える、Ｃ１５に記載の方法。
［Ｃ１７］
前記処理は、前記サブフレームのバンドルにおいて各サブフレームのためのレートマッチングを共同で行うことを備える、Ｃ１５に記載の方法。
［Ｃ１８］
サブフレームのバンドル上で、バンドリングされた送信としてダウンリンク制御チャネルを送る方法であって、
前記サブフレームのバンドル内の第１のサブフレームにおける前記ダウンリンク制御チャネルについての可能性のある復号候補の第１のセットと、前記サブフレームのバンドル内の第２のサブフレームにおける前記ダウンリンク制御チャネルについての可能性のある復号候補の第２のセットとの間のマッピングを決定することと、
前記決定に、少なくとも部分的に基づいて、前記サブフレームのバンドルを送ることと
を備える、方法。
［Ｃ１９］
前記ダウンリンク制御チャネルは、物理ダウンリンク制御チャネル（ＰＤＣＣＨ）または拡張されたＰＤＣＣＨ（ＥＰＤＣＣＨ）を備える、Ｃ１８に記載の方法。
［Ｃ２０］
可能性のある復号候補の前記第１のセットと、可能性のある復号候補の前記第２のセットとは異なっている、Ｃ１８に記載の方法。
［Ｃ２１］
可能性のある復号候補の前記第１のセットにおけるアグリゲーションレベルの復号候補は、可能性のある復号候補の前記第２のセットにおける同じアグリゲーションレベルの復号候補にマッピングされる、Ｃ１８に記載の方法。
［Ｃ２２］
可能性のある復号候補の前記第１のセットにおける第１の復号候補は、可能性のある復号候補の前記第２のセットにおける第２の復号候補にマッピングされ、前記第１の復号候補および前記第２の復号候補は、異なるアグリゲーションレベル、アグリゲーションレベルについての復号候補の異なる数、または制御チャネルの異なるタイプのうちの少なくとも１つを有する、Ｃ１８に記載の方法。
［Ｃ２３］
前記ダウンリンク制御チャネルは、物理ダウンリンク制御チャネル（ＰＤＣＣＨ）を備え、
可能性のある復号候補の前記第１のセットと、可能性のある復号候補の前記第２のセットとの間の前記マッピングを前記決定することは、前記サブフレームのバンドル内の利用可能な制御チャネルエレメント（ＣＣＥ）の数に基づいている、 Ｃ１８に記載の方法。
［Ｃ２４］
前記ダウンリンク制御チャネルは、拡張された物理ダウンリンク制御チャネル（ＥＰＤＣＣＨ）を備え、
可能性のある復号候補の前記第１のセットと、可能性のある復号候補の前記第２のセットとの間の前記マッピングを前記決定することは、物理リソースブロック（ＰＲＢ）ペアにおける前記ＥＰＤＣＣＨについて利用可能なリソースエレメント（ＲＥ）の数に基づいて、前記サブフレームのバンドルにおいてサポートされるアグリゲーションレベルを決定することを備える、Ｃ１８に記載の方法。
［Ｃ２５］
前記ダウンリンク制御チャネルは、第１のＥＰＤＣＣＨリソースセットおよび第２のＥＰＤＣＣＨリソースセットで構成される拡張された物理ダウンリンク制御チャネル（ＥＰＤＣＣＨ）を備え、
可能性のある復号候補の前記第１のセットと、可能性のある復号候補の前記第２のセットとの間の前記マッピングを前記決定することは、前記第１のＥＰＤＣＣＨリソースセット内の第１のマッピングを決定すること、および前記第２のＥＰＤＣＣＨリソースセット内の第２のマッピングを決定することを備える、Ｃ１８に記載の方法。
［Ｃ２６］
可能性のある復号候補の前記第１のセットと、可能性のある復号候補の前記第２のセットとの間の前記マッピングを前記決定することは、前記ＰＤＣＣＨ内の第１のマッピングを決定すること、および前記ＥＰＤＣＣＨ内の第２のマッピングを決定することを備える、Ｃ１９に記載の方法。
［Ｃ２７］
前記第１のサブフレームの構成は、前記第２のサブフレームの構成とは異なっており、
前記決定は、前記第１のサブフレームの前記構成および前記第２のサブフレームの前記構成に基づいている、Ｃ１８に記載の方法。
［Ｃ２８］
前記第１のサブフレームの前記構成および前記第２のサブフレームの前記構成は、サブフレームにおけるダウンリンク送信についてのシンボルの数、またはサブフレームタイプのうちの少なくとも１つを各々備える、Ｃ２７に記載の方法。
［Ｃ２９］
サブフレームのバンドル上で、バンドリングされた送信として送られるダウンリンク制御チャネルを処理するための装置であって、
前記サブフレームのバンドル内の第１のサブフレームにおける前記ダウンリンク制御チャネルについての可能性のある復号候補の第１のセットと、前記サブフレームのバンドル内の第２のサブフレームにおける前記ダウンリンク制御チャネルについての可能性のある復号候補の第２のセットとの間のマッピングを決定するための手段と、
前記決定に、少なくとも部分的に基づいて、前記サブフレームのバンドルを処理するための手段と
を備える、装置。
［Ｃ３０］
可能性のある復号候補の前記第１のセットと、可能性のある復号候補の前記第２のセットとは異なっており、前記処理するための手段は、
可能性のある復号候補の前記第２のセット内にはない、可能性のある復号候補の前記第１のセット内の復号候補を決定するための手段と、
復号のために前記サブフレームのバンドルのうちの前記第２のサブフレームを無視し、前記サブフレームのバンドルのうちの前記第１のサブフレーム内の前記決定された復号候補を復号するための、または復号のために前記サブフレームのバンドルのうちの前記第１および第２のサブフレームを無視するための手段と
を備える、Ｃ２９に記載の装置。